(57)【要約】【課題】簡単な操作によって、使い捨て用の清掃部材を容易に装着できると共に、清掃後に装着した清掃部材を手で触れることなく容易に廃棄できる装着ヘッド付き清掃具を提供する。【解決手段】外ロッド１４と、外ロッド１４の挿通穴１５に摺動可能に挿通されて、上端押圧部１７が外ロッド１４の上端押圧支持部１８の上方に配置される内ロッド１６と、内ロッド１６と外ロッド１４との間に介在して設けられて、上端押圧部１７を上端押圧支持部１８に向けて押圧した際に、上端押圧部１７を押し戻そうとする付勢力を生じるばね部材１９とを含んで構成される。装着ヘッド部１１は、外ロッド１４の下端部に設けられた外ロッド１４の外径よりも外側に張り出す外ロッド張出し部２０と、内ロッド１６の下端部に設けられた内ロッド先端部２１とを含み、上部押圧部１７を押圧することで、外ロッド張出し部２０と内ロッド先端部２１との位置関係が相対的に変化する。【選択図】図１
2012210335.tif 000002
【特許請求の範囲】
【請求項１】
清掃具の先端の装着ヘッド部に使い捨て用の清掃部材を着脱可能に装着して使用する装着ヘッド付き清掃具であって、
ロッドの軸方向に貫通する挿通穴を有する外ロッドと、前記挿通穴に摺動可能に挿通されて、上端押圧部が前記外ロッドの上端押圧支持部の上方に配置される内ロッドと、該内ロッドと前記外ロッドとの間に介在して設けられて、前記上端押圧部を前記上端押圧支持部に向けて押圧した際に、前記上端押圧部を押し戻そうとする付勢力を生じるばね部材とを含んで構成され、
前記装着ヘッド部は、前記外ロッドの下端部に一体として設けられた前記外ロッドの外径よりも外側に張り出す外ロッド張出し部と、前記内ロッドの下端部に一体として設けられた内ロッド先端部とを含み、前記上部押圧部を押圧することで、前記外ロッド張出し部と前記内ロッド先端部との位置関係が相対的に変化する装着ヘッド付き清掃具。
【請求項２】
前記外ロッドの下端部には、これの軸方向と垂直又は略垂直な方向に張り出す外ロッド張出し部が一体として設けられており、前記内ロッドの下端部には、これの軸方向と垂直又は略垂直な方向に張り出す内ロッド先端部が、前記外ロッド張出し部と略同じ面に沿って隣接配置されて一体として設けられている請求項１記載の装着ヘッド付き清掃具。
【請求項３】
前記外ロッド張出し部は、間隔をおいて配置された一対の外ロッド装着部材を備えており、前記内ロッド先端部は、前記一対の外ロッド装着部材の中間部分に配置された内ロッド装着部材を備えている請求項１又は２記載の装着ヘッド付き清掃具。
【請求項４】
前記ばね部材は、前記上端押圧部と内ロッド先端部との間に介在して、前記内ロッドの外周部分に配置される請求項１〜３の何れか１項記載の装着ヘッド付き清掃具。
【請求項５】
前記清掃部材は、前記一対の外ロッド装着部材と前記内ロッド装着部材との間に上下方向から挟み込まれた状態で、前記装着ヘッド部に着脱交換可能に装着される清掃部材である請求項３又は４記載の装着ヘッド付き清掃具。
【請求項６】
前記清掃部材は、前記一対の外ロッド装着部材及び前記内ロッド装着部材を装着袋部に挿入することで前記装着ヘッド部に装着される袋状の清掃部材であり、該清掃部材は、廃棄される際に、前記上端押圧部を押圧して前記外ロッド装着部材と前記内ロッド装着部材とを上下方向に離間させることにより切り離し可能である請求項３又は４記載の装着ヘッド付き清掃具。
【請求項７】
前記清掃部材は、前記一対の外ロッド装着部材及び前記内ロッド装着部材を装着袋部に挿入することで前記装着ヘッド部に装着される袋状の清掃部材であり、該清掃部材は、廃棄される際に、前記上端押圧部を押圧して前記内ロッド装着部材を前記外ロッド装着部材に対して下方向に離間させることにより押し離し可能である請求項３又は４記載の装着ヘッド付き清掃具。
【発明の詳細な説明】
【技術分野】
【０００１】
本発明は、装着ヘッド付き清掃具に関し、特に、先端の装着ヘッド部に使い捨て用の清掃部材を着脱可能に装着して使用する装着ヘッド付き清掃具に関する。
【背景技術】
【０００２】
ヘッド部に使い捨て用のブラシ部材や使い捨て用のシート部材等を清掃部材として着脱可能に装着して、手軽に清掃を行うことができるようにした清掃具が種々提供されているが、例えばトイレ清掃に用いる清掃具の場合は、ブラシ部材等の清掃部材を、手で触れることなく清掃後にスムーズに取り外して廃棄できることが望ましい。
【０００３】
このようなことから、ヘッド部に装着したブラシヘッドを、棒部（柄部）を構成するクラムシェル・ハウジングの内部に設けられたアクチュエータを作動させることで、手で触れることなく取り外せるようにした、使い捨て可能／交換可能なブラシヘッドを有するクリーニングブラシも開発されている（例えば、特許文献１参照）。
【先行技術文献】
【特許文献】
【０００４】
【特許文献１】特表２００７−５３００８１号公報
【発明の概要】
【発明が解決しようとする課題】
【０００５】
しかしながら、特許文献１のクリーニングブラシでは、例えばトイレ清掃の後に、清掃部材であるブラシヘッドを手で触れることなく取り外して、そのまま水に流して廃棄することが可能であるが、クラムシェル・ハウジングの内部に設けられたアクチュエータの構造が複雑で高価になると共に、ブラシヘッドを取り外すための操作に手間がかかって使い勝手も良くないといった課題がある。
【０００６】
本発明は、簡易な構成及び簡単な操作によって、ブラシ部材やシート部材等の清掃部材を着脱可能に容易に装着することができると共に、清掃後に装着した清掃部材を手で触れることなく容易に取り外して廃棄することのできる装着ヘッド付き清掃具を提供することを目的とする。
【課題を解決するための手段】
【０００７】
本発明は、清掃具の先端の装着ヘッド部に使い捨て用の清掃部材を着脱可能に装着して使用する装着ヘッド付き清掃具であって、ロッドの軸方向に貫通する挿通穴を有する外ロッドと、前記挿通穴に摺動可能に挿通されて、上端押圧部が前記外ロッドの上端押圧支持部の上方に配置される内ロッドと、該内ロッドと前記外ロッドとの間に介在して設けられて、前記上端押圧部を前記上端押圧支持部に向けて押圧した際に、前記上端押圧部を押し戻そうとする付勢力を生じるばね部材とを含んで構成され、前記装着ヘッド部は、前記外ロッドの下端部に一体として設けられた前記外ロッドの外径よりも外側に張り出す外ロッド張出し部と、前記内ロッドの下端部に一体として設けられた内ロッド先端部とを含み、前記上部押圧部を押圧することで、前記外ロッド張出し部と前記内ロッド先端部との位置関係が相対的に変化する装着ヘッド付き清掃具を提供することにより、上記目的を達成したものである。
【発明の効果】
【０００８】
本発明の装着ヘッド付き清掃具によれば、簡易な構成及び操作によって、ブラシ部材やシート部材等の清掃部材を着脱可能に容易に装着することができると共に、清掃後に装着した清掃部材を手で触れることなく容易に取り外して廃棄することができる。
【図面の簡単な説明】
【０００９】
【図１】本発明の好ましい一実施形態に係る装着ヘッド付き清掃具の斜視図である。
【図２】本発明の好ましい一実施形態に係る装着ヘッド付き清掃具の、（ａ）は上端押圧部を押圧する前の状態の正面図、（ｂ）は上端押圧部を押圧した状態の正面図である。
【図３】装着ヘッド部に装着されるブラシ部材の平面図である。
【図４】装着ヘッド部にブラシ部材を装着した状態の装着ヘッド付き清掃具の要部正面図である。
【図５】（ａ），（ｂ）は、装着ヘッド付き清掃具を用いてトイレの便器を清掃する状況を説明する斜視図である。
【図６】装着ヘッド部にシート部材を装着する状況を説明する装着ヘッド付き清掃具の要部斜視図である。
【図７】複数のシート部材を収容した収納箱を説明する（ａ）、（ｂ）は斜視図、（ｃ）は（ｂ）の上面図である。
【図８】その他の本発明の好ましい一実施形態に係る装着ヘッド付き清掃具の模式図である。
【発明を実施するための形態】
【００１０】
図１に示す本発明の好ましい一実施形態（第１実施形態）に係る装着ヘッド付き清掃具１０は、例えばトイレ清掃用の清掃具として用いられ、先端の装着ヘッド部１１に、使い捨て用の清掃部材として例えばブラシ部材１２（図３参照）や扁平な袋状のシート部材１３（図６参照）を着脱可能に装着して、トイレの便器の隅々まで細かく清掃できるようにする。また、本実施形態の装着ヘッド付き清掃具１０は、ブラシ部材１２やシート部材１３を装着したトイレ清掃の後に、使用したこれらの清掃部材１２，１３を簡単な操作によって、手で触れることなく簡単に装着ヘッド部１１から取り外して、例えばそのまま水に流して容易に廃棄できる機能を備える。
【００１１】
本実施形態の装着ヘッド付き清掃具１０は、先端の装着ヘッド部１１に使い捨て用の清掃部材１２，１３を着脱可能に装着して使用する例えばトイレ清掃用の清掃具であって、ロッドの軸方向に貫通する挿通穴１５を有する外ロッド１４と、外ロッド１４の挿通穴１５に摺動可能に挿通されて、上端押圧部１７が外ロッド１４の上端押圧支持部１８の上方に配置される内ロッド１６と、内ロッド１６と外ロッド１４との間に介在して設けられて、上端押圧部１７を上端押圧支持部１８に向けて押圧した際に、上端押圧部１７を押し戻そうとする付勢力を生じるばね部材１９とを含んで構成される。装着ヘッド部１１は、外ロッド１４の下端部に一体として設けられた外ロッド１４の外径よりも外側に張り出す外ロッド張出し部２０と、内ロッド１６の下端部に一体として設けられた内ロッド先端部２１とを含み、上部押圧部１７を押圧することで、外ロッド張出し部２０と内ロッド先端部２１との位置関係が相対的に変化する。
【００１２】
本実施形態では、外ロッド１４の下端部には、これの軸方向と垂直又は略垂直な方向に張り出す外ロッド張出し部２０が一体として設けられており、内ロッド１６の下端部には、これの軸方向と垂直又は略垂直な方向に張り出す内ロッド先端部２１が、外ロッド張出し部２０と略同じ面に沿って隣接配置されて一体として設けられている。
【００１３】
また、本実施形態では、外ロッド張出し部２０は、間隔をおいて配置された一対の外ロッド装着部材２２を備えており、内ロッド先端部２１は、一対の外ロッド装着部材２２の中間部分に配置された内ロッド装着部材２３を備えている。これらによって、装着ヘッド部１１は、全体として３本歯の略フォーク形状に形成されている。
【００１４】
さらに、本実施形態では、ばね部材１９は、上端押圧部１７と内ロット先端部２１との間に介在して、内ロッド１６の外周部分に配置される位置として、例えば上端押圧部１７の下面と外ロッド１４の上端押圧支持部１８の上面との間に介在して、内ロッド１６の上端部外周部分に配置されている。
【００１５】
本実施形態では、外ロッド１４は、例えばポリプロピレン、ポリエチレン、ＡＢＳ、ＰＥＴ、ポリスチレン、ポリカーボネイト、ポリアセタール、ナイロン、テフロン（登録商標）等の合成樹脂材料による成形品やアルミニウム、ステンレスなどの金属材料による成形品であって、例えば１５０〜５００ｍｍ程度の長さを有している。外ロッド１４は、外径が７〜４０ｍｍ程度の円柱形状の上部把持部１４ａと、上部把持部１４ａに一体として形成される、外径が５〜３５ｍｍ程度の円柱形状の下部縮径部１４ｂとからなる。上部把持部１４ａは、外径が１０〜４５ｍｍ程度の円柱形状を備えていることにより、把持する手に良好に馴染んで持ちやすくなる。また上部把持部１４ａの上端部には、これの両側に張り出す長円形状の上端押圧支持部１８が一体として形成されている。
【００１６】
下部縮径部１４ｂは、その上端部にテーパー状の外周面を有する中間接続部１４ｃが一体として形成されており、この中間接続部１４ｃを介して、例えば嵌め込み形式で、上部把持部１４ａの下端部と一体化される。下部縮径部１４ｂの下端部には、外ロッド１４と同じ合成樹脂材料によって成形された外ロッド張出し部２０を備えるヘッド部材２４が、接続スリーブ部２４ａを介して、例えば嵌め込み形式で一体化される。これによって、外ロッド１４の下端部には、これの軸方向と垂直又は略垂直な方向に張り出す外ロッド張出し部２０が、一体として設けられる。
【００１７】
ヘッド部材２４は、略切頭円錐形状の接続スリーブ部２４ａと、接続スリーブ部２４ａの底部から当該接続スリーブ部２４ａの中心軸方向（内ロッド１６の軸方向）と略垂直な面に沿って張り出して設けられた基盤部２４ｂとからなる。この基盤部２４ｂによって、外ロッド張出し部２０が形成される。また、外ロッド張出し部２０は、外ロッド１４の外径よりも外側に張り出している。本実施形態では、基盤部２４ｂは、コの字状に切り欠かれた部分を有する略矩形平面形状を備える。接続スリーブ部２４ａは、基盤部２４ｂの中央部分から一方の短辺側に片寄った部分に突出して設けられる。基盤部２４ｂの接続スリーブ部２４ａとは反対側の短辺部は、切欠き部２４ｃによってコの字状に切り欠かれている。この切欠き部２４ｃを挟んだ両側の部分が、間隔をおいて配置された一対の外ロッド装着部材２２を形成する。これらの外ロッド装着部材２２の先端外側部分には、各々、テーパー状の面取り２２ａが施されている。
【００１８】
また、本実施形態では、ヘッド部材２４の基盤部２４ｂは、これの短辺部側から見た正面形状が、上方に凸の円弧形状となるように僅かに湾曲するアーチ形状を備えている（図２（ａ）参照）。これによって、装着された清掃部材１２，１３が湾曲することで、便器内側の直面にフィットした形状となり、使用時の使い勝手の向上をはかることが可能になる。さらに、本実施形態では、基盤部２４ｂの底面における、後述する挿通穴１５の開口縁部と、切欠き部２４ｃの接続スリーブ部２４ａ側の辺部との間の部分には、当該底面から浅い深さで切り欠いて形成された帯状の位置決め溝２４ｄが設けられている（図２（ｂ）、図６参照）。この位置決め溝２４ｄには、内ロッド１６の下端部に設けられた内ロッド先端部２１（内ロッド装着部材２３）が、一対の外ロッド装着部材２２の中間部分においてこれらと平行に延設するように位置決めされた状態で、納められるようになっている。
【００１９】
なお、本実施形態では、中間接続部１４ｃを介した上部把持部１４ａと下部縮径部１４ｂとの接合部分、及び接続スリーブ部２４ａを介した下部縮径部１４ｂとヘッド部材２４との接合部分には、好ましくはフィレット部材を挿入配置することで、清掃具１０の使用時における応力集中を抑制して、これらの接合部分に割れ等が生じるのを効果的に防止することが可能になる。
【００２０】
そして、本実施形態では、上部把持部１４ａと下部縮径部１４ｂとヘッド部材２４とが一体となって形成された外ロッド１４の内部には、上部把持部１４ａ及び下部縮径部１４ｂの中心軸方向に貫通して、好ましくは４角形の断面形状を有する挿通穴１５が、その上端を上端押圧支持部１８の上面中央部に開口させると共に、その下端をヘッド部材２４の基盤部２４ｂの底面に開口させた状態で設けられている。この挿通穴１５には、内ロッド１６が摺動可能に挿通される。
【００２１】
内ロッド１６は、外ロッド１４と同様に例えばアルミニウム等の金属材料やポリプロピレン等の合成樹脂材料による成形品からなる棒状部材である。内ロッド１６は、外ロッド１４よりも１０〜１００ｍｍ程度長い、例えば１６０〜６００ｍｍ程度の長さを有している。これによって内ロッド１６は、挿通穴１５に挿通された際に、その上端部分が、外ロッド１４の上端部の上端押圧支持部１８よりも上方に突出する状態を保持する。内ロッド１６は、例えば挿通穴１５と同様の４角形の断面形状を有していることにより、外ロッド１４に対して内ロッド１６が周方向に回転するのを阻止することが可能となる。これによって、内ロッド１６の下端部に設けられた内ロッド装着部材２３が、一対の外ロッド装着部材２２の中間部分にこれらと平行に配置された状態を強固に保持することが可能になる。
【００２２】
また、本実施形態では、内ロッド１６の上端部には、これの両側に張り出す長円形状の上端押圧部１７が、外ロッド１４の上端押圧支持部１８の直上部分に、これと平行に配置されて設けられている。上端押圧部１７は、外ロッド１４と同じ合成樹脂材料によって形成され、例えば固定ネジ等を介して内ロッド１６の上端部に固定される。上端押圧部１７と上端押圧支持部１８との間の内ロッド１６の上端部分には、当該内ロッド１６の外周部分に装着されることでばね部材１９が配設される。
【００２３】
さらに、本実施形態では、内ロッド１６の下端部には、内ロッド先端部２１を構成する内ロッド装着部材２３が、内ロッド１６の軸方向と垂直又は略垂直な方向に張り出して設けられている。内ロッド装着部材２３は、外ロッド１４と同じ合成樹脂材料によって形成され、例えば固定ネジ等を介して内ロッド１６の下端部に固定される。内ロッド装着部材２３は、上端押圧部１７を押圧して下方に押し出される前の状態では、上述のように、ヘッド部材２４の基盤部２４ｂの底面に設けられた位置決め溝２４ｄに納められて（図２（ａ）参照）、基盤部２４ｂの切欠き部２４ｃにおいて、外ロッド張出し部２０と略同じ面に沿って、一対の外ロッド装着部材２２に隣接してこれらの中間部分に平行に延設して配置される。内ロッド装着部材２３の先端両側部分には、各々、テーパー状の面取り２３ａが施されている。
【００２４】
内ロッド１６の上端押圧部１７と外ロッド１４の上端押圧支持部１８との間に介在して設けられるばね部材１９は、例えば金属製のコイルバネであり、内ロッド１６の上端部分を挿通させた状態で装着されることにより、当該内ロッド１６の上端部分の外周部分に設置される。ばね部材１９は、内ロッド１６を外ロッド１４の挿通穴１５の内部で下方にスライド移動させつつ上端押圧部１７を上端押圧支持部１８に向けて下方に押圧した際に、図２（ｂ）に示すように、上端押圧部１７と上端押圧支持部１８との間に挟まれて圧縮変形することで、上端押圧部１７を上方に押し戻そうとする付勢力を生じる。これによってばね部材１９は、上端押圧部１７への押圧を開放した際に、内ロッド１６の上端押圧部１７や内ロッド装着部材２３を上方に移動させて元の位置にスムーズに復帰させるように機能する。
【００２５】
上述の構成を有する本実施形態の装着ヘッド付き清掃具１０では、ブラシ部材１２（図３参照）と扁平な袋状のシート部材１３（図６参照）との２種類の清掃部材を、着脱交換可能に装着ヘッド部１１に装着して、トイレ清掃を行うことができる。
【００２６】
図３に示すブラシ部材１２を清掃具１０に装着してトイレ清掃を行うには、図２（ａ）に示す押圧前の状態から、図２（ｂ）に示すように、上端押圧部１７を上端押圧支持部１８に向けて押圧して、外ロッド張出し部２０の外ロッド装着部材２２と、内ロッド先端部２１の内ロッド装着部材２３とを上下方向に離間させた状態とする。また、これらを離間させた間隔部分に、ブラシ部材１２の中央部分を配置した後に、上端押圧部１７への押圧を解除する。これによって、内ロッド装着部材２３は、ばね部材１９の付勢力によって上方に移動するので、ブラシ部材１２は、図４に示すように、一対の外ロッド装着部材２２の中間部分で内ロッド装着部材２３によって上方に押し上げられて、ヘの字に折れ曲がった立体形状で、装着ヘッド部１１に容易に装着固定される。
【００２７】
このようして得られた、装着ヘッド部１１にブラシ部材１２を立体形状で装着固定した清掃具１０を用いて、図５（ａ），（ｂ）に示すように、トイレの便器の奥まった部分まで効果的に清掃することが可能になる。またブラシ部材１２による便器の清掃が終了したら、ブラシ部材１２を便器の内部に配設した状態で、上端押圧部１７を上端押圧支持部１８に向けて押圧すれば、外ロッド装着部材２２と内ロッド装着部材２３とが離間して、ブラシ部材１２を保持できなくなるので、ブラシ部材１２に手を触れることなく、ブラシ部材１２を便器に容易に廃棄することが可能になる。
【００２８】
ここで、ブラシ部材１２は、水解性を有する繊維状線状部材１２ａを一まとまりに束ねて、中央部分の周囲を水解性を有するネット状部材１２ｂで包み込んだものであり、変形させやすい形状を備えている。またブラシ部材１２は、便器内の水と共に流されて、ネット状部材１２ｂが水解して繊維状線状部材１２ａがバラバラに分散すると共に、繊維状線状部材１２ａも水解性を有することから排水管等を詰らせることのない物性を備えており、便器に流しても支障なく廃棄することができる。
【００２９】
また、例えば図６に示すような平坦な袋状のシート部材１３を装着してトイレ清掃を行うには、上端押圧部１７を押圧することなく、外ロッド張出し部２０の一対の外ロッド装着部材２２と、内ロッド先端部２１の内ロッド装着部材２３とを略同じ面に沿って配置したままの状態で、装着ヘッド部１１を、シート部材１３のポケット部に開口辺部１３ａの側から挿入することにより、装着ヘッド部１１にシート部材１３を装着する。
【００３０】
このようして得られた、装着ヘッド部１１に袋状のシート部材１３を装着した清掃具１０を用いて、ブラシ部材１２を装着した場合と同様に、トイレの便器の奥まった部分まで効果的に清掃することが可能になる。またシート部材１３による便器の清掃が終了したら、シート部材１３を便器の内部に配設した状態で、上端押圧部１７を上端押圧支持部１８に向けて押圧すれば、外ロッド装着部材２２と内ロッド装着部材２３とが離間することで、シート部材１３は、ポケット部が広げられて引き裂かれるようにして破断することにより、装着ヘッド部１１に保持されなくなるので、シート部材１３に手を触れることなく、シート部材１３を便器に容易に廃棄することが可能になる。
【００３１】
ここで、袋状のシート部材１３は、例えば水解性を有する不繊布等からなるシート材料を折り重ねて周縁部分を接合することにより、開口辺部１３ａを有する扁平なポケット状のシート部材として容易に形成することができる。また、シート部材１３には、例えばミシン目等による易破断線１３ｂを適宜の位置に設けておくことにより、廃棄時にさらにスムーズに破断させることが可能になる。シート部材１３は、積層したシート材料を用いて形成することにより、強度を向上させることもできる。周囲の部分が中央部分よりも硬くなるように形成することにより、洗浄効果を向上させることもできる。周囲にギザギザを設けておくことにより、洗浄効果をさらに向上させると共に、便器の裏溝を洗うことも可能になる。表裏のシート材料を異ならせてシート部材１３を形成することもでき、例えば裏側のシート材料にエンボス加工を施して洗浄効果を向上させることもできる。
【００３２】
さらに、袋状のシート部材１３は、例えば箱状のものに立てた状態で差し込んでおくことにより、手を触れることなく、清掃具１０の装着ヘッド部１１にワンタッチで装着することもできる。すなわち、例えば図７（ａ）に示すように、複数のシート部材１３を、複数の収容室３０ａに区画された可撓性を有する箱体３０の内部に、開口辺部１３ａを上方に向けて立てた状態で差し込んで並べて収容しておく。本実施形態では個々のシート部材１３を棒状又はリブ状のスペーサー３０ｂで離間して収容している。シート部材１３を装着する際には、図７（ｂ），（ｃ）に示すように、選択した収容室３０ａの外壁を両側から挟み込むようにして押し込めば、両側の外壁が互いに近づくように変形して、収容した袋状のシート部材１３の開口辺部１３ａは、開口巾を広げた状態となる。このようにして開口巾が広がった開口辺部１３ａによる挿入開口を介して、装着ヘッド部１１をポケット部にスムーズに挿入することにより、装着ヘッド部１１にシート部材１３を容易に装着することが可能になる。
【００３３】
そして、上述の構成を有する本実施形態の装着ヘッド付き清掃具１０によれば、簡易な構成及び操作によって、ブラシ部材１２やシート部材１３等の清掃部材を着脱可能に容易に装着することができると共に、清掃後に装着した清掃部材１２，１３を手で触れることなく容易に取り外して廃棄することができる。
【００３４】
すなわち、本実施形態の装着ヘッド付き清掃具１０によれば、下端部に外ロッド張出し部２０を備える外ロッド１４と、外ロッド１４に摺動可能に挿通される、下端部に内ロッド先端部２１を備える内ロッド１６と、例えば内ロッド１６の上端押圧部１７と外ロッド１４の上端押圧支持部１８との間に介在して設けられたばね部材１９とからなる簡易な構成を有していると共に、上端押圧部１７を上端押圧支持部１８に向けて押圧したり、押圧を開放するだけの簡易な操作によって、手間のかかる操作を要することなく、清掃部材を装着ヘッド部１１に装着したり、清掃後に清掃部材１２，１３を手で触れることなく取り外して廃棄したりすることが可能になる。
【００３５】
図８に、その他の本発明の好ましい一実施形態（第２実施形態）に係る装着ヘッド付き清掃具１０’の模式図を示す。第２実施形態の装着ヘッド付き清掃具１０’は、以下に記載する点以外は第１実施形態の装着ヘッド付き清掃具１０と同様の構成を備える。
【００３６】
第２実施形態の内ロッド１６’の下端部には、内ロッド先端部２１’を構成する内ロッド装着部材２３’が、内ロッド１６’の軸方向に張り出して設けられている（延設されている）。また、ヘッド部材２４’は、略切頭円錐形状の接続スリーブ部２４ａ’と、接続スリーブ部２４ａ’の底部から当該接続スリーブ部２４ａ’の中心軸方向（内ロッド１６’の軸方向）の面に沿って張り出して設けられた（延設された）基盤部２４ｂ’とからなる。この基盤部２４ｂ’によって、外ロッド張出し部２０’が形成される。また、外ロッド張出し部２０’は、外ロッド１４’の外径よりも外側に張り出している。
【００３７】
内ロッド１６’の、外ロッド１４’の挿通穴１５’に挿通された部分の下部の外周には、鍔部材１６ａ’が一体として設けられている。また外ロッド１４’の挿通穴１５’の下端部の内壁からは鍔部材１４ａ’が一体として設けられている。鍔部材１４ａ’の中心部分には内ロッド１６’が挿通する挿通穴１４ｂ’が設けられている。
【００３８】
また、ばね部材１９’が鍔部材１６ａ’と鍔部材１４ａ’との間に介在して、内ロッド１６’の外周部分に配置される。ばね部材１９’は、上端押圧部１７’を上端押圧支持部１８’に向けて押圧した際に、上端押圧部１７’を押し戻そうとする付勢力を生じる。
【００３９】
本実施形態の装着ヘッド付き清掃具１０’も、ブラシ部材１２（図３参照）と扁平な袋状のシート部材１３（図６参照）との２種類の清掃部材を、着脱交換可能に装着ヘッド部１１’に装着して、トイレ清掃を行うことができる。
【００４０】
図３に示す繊維状線状部材１２ａを一まとまりに束ねたブラシ部材１２の場合には、上端押圧部１７’を押圧することなく、清掃具１０’の外ロッド装着部材２２’及び内ロッド装着部材２３’を共に突き刺して、装着ヘッド部１１’にブラシ部材１２を装着固定する。またブラシ部材１２による便器の清掃が終了したら、ブラシ部材１２を便器の内部に配設した状態で、上端押圧部１７’を上端押圧支持部１８’に向けて押圧すれば、外ロッド装着部材２２’と内ロッド装着部材２３’とが離間する。この状態で、ブラシ部材１２を便器の内部に接触等させることで、ブラシ部材１２に手を触れることなく、ブラシ部材１２を便器に容易に押し離して廃棄することが可能になる。
【００４１】
また、図６に示すような平坦な袋状のシート部材１３を装着してトイレ清掃を行うには、第１実施形態と同様にして、上端押圧部１７’を押圧することなく、装着ヘッド部１１’を、シート部材１３のポケット部に開口辺部１３ａの側から挿入することにより、装着ヘッド部１１にシート部材１３を装着する。外ロッド装着部材２２’及び内ロッド装着部材２３’は清掃具１０’の軸方向に延設しているので、箱体３０に収容されたシート部材１３を装着する操作を容易に行うことができる。またシート部材１３による便器の清掃が終了したら、シート部材１３を便器の内部に配設した状態で、上端押圧部１７’を上端押圧支持部１８’に向けて押圧すれば、外ロッド装着部材２２’に対して内ロッド装着部材２３’が下方に離間することで、シート部材１３は、内ロッド装着部材２３’によって押し離されて、装着ヘッド部１１’の外ロッド装着部材２２’に保持されなくなるので、シート部材１３に手を触れることなく、シート部材１３を便器に容易に廃棄することが可能になる。
【００４２】
なお、本発明は上記実施形態に限定されることなく種々の変更が可能である。例えば、本発明の装着ヘッド付き清掃具は、トイレ清掃以外の、装着ヘッド部に使い捨て用の清掃部材を着脱可能に装着して行う種々の清掃に使用することができる。また、装着ヘッド部は、一対の外ロッド装着部材とこれらの中間部分に配置された内ロッド装着部材とからなる３本歯の略フォーク形状に形成されている必要は必ずしもなく、４本歯以上の略フォーク形状に形成していても良い。一対の内ロッド装着部材の中間部分に、外ロッド装着部材が配置されたものであっても良い。さらに、ばね部材は、内ロッドの上端押圧部の下面と外ロッドの上端押圧支持部の上面との間に介在して設けられている必要は必ずしもなく、例えば外ロッドの内部に隠蔽された状態で設けられていても良い（図８参照）。
【符号の説明】
【００４３】
１０  装着ヘッド付き清掃具
１１  装着ヘッド部
１２  ブラシ部材（清掃部材）
１３  シート部材（清掃部材）
１３ａ  開口辺部
１４  外ロッド
１５  挿通穴
１６  内ロッド
１７  上端押圧部
１８  上端押圧支持部
１９  ばね部材
２０  外ロッド張出し部
２１  内ロッド先端部
２２  外ロッド装着部材
２３  内ロッド装着部材
２４  ヘッド部材
３０  箱体
【図１】
2012210335.tif 000003
【図２】
2012210335.tif 000004
【図３】
2012210335.tif 000005
【図４】
2012210335.tif 000006
【図５】
2012210335.tif 000007
【図６】
2012210335.tif 000008
【図７】
2012210335.tif 000009
【図８】
2012210335.tif 000010